(57)【要約】【課題】状況や操作モードに応じた、より適切な機能の割り当てを行うことにより操作性を向上する。【解決手段】第１の筐体と、利用者からの操作を受け付ける操作受付手段を複数有する第２の筐体と、が互いにスライドできるよう結合されている携帯端末が、前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する。前記半開状態であることが検出されたときに前記露出した一部の操作受付手段の機能割り当てを変更する。【選択図】図１
2011249909.tif 000002
【特許請求の範囲】
【請求項１】
第１の筐体と、利用者からの操作を受け付ける操作受付手段を複数有する第２の筐体と、が互いにスライドできるよう結合されている携帯端末において、
前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出手段と、
前記半開状態であることが検出されたときに前記露出した一部の操作受付手段の機能割り当てを変更する制御手段と、
を備えることを特徴とする携帯端末。
【請求項２】
請求項１に記載の携帯端末において、
カメラを更に備えており、
前記制御手段が、前記カメラを起動している場合であって前記半開状態であることが検出された場合に、前記露出した一部の操作受付手段の機能割り当てを変更することを特徴とする携帯端末。
【請求項３】
請求項１又は２に記載の携帯端末において、
前記制御手段が、前記露出した一部の操作受付手段の機能割り当てを変更した後に、当該露出した一部の操作受付手段の何れかが押下されたことを検知すると、前記露出した一部の操作受付手段の機能割り当てを更に変更することを特徴とする携帯端末。
【請求項４】
請求項１又は２に記載の携帯端末において、
前記操作受付手段以外に、常時露出しており利用者からの操作を受け付ける手段である常時露出操作受付手段を更に備えており、
前記半開状態であることが検出されたときに前記露出した一部の操作受付手段に加えて、前記常時露出操作受付手段の機能割り当ても変更することを特徴とする携帯端末。
【請求項５】
請求項１乃至４の何れか１項に記載の携帯端末において、
前記スライドによる開閉動作に支障がない程度に前記半開状態を保持できる構造を有していることを特徴とする携帯端末。
【請求項６】
請求項１乃至５の何れか１項に記載の携帯端末において、
前記半開状態は、露出している前記操作受付手段の数に応じて第１の半開状態と、第２の半開状態とに区別され、前記制御手段は前記機能割り当て変更の際に、前記第１の半開状態と、第２の半開状態とで異なる内容の機能割り当てを行うことを特徴とする携帯端末。
【請求項７】
第１の筐体と、利用者からの操作を受け付ける操作受付手段を複数有する第２の筐体と、が互いにスライドできるよう結合されている携帯端末が行う機能割当方法において、
前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出ステップと、
前記半開状態であることが検出されたときに前記露出した一部の操作受付手段の機能割り当てを変更する制御ステップと、
を備えることを特徴とする機能割当方法。
【請求項８】
第１の筐体と、利用者からの操作を受け付ける操作受付手段を複数有する第２の筐体と、が互いにスライドできるよう結合されている携帯端末に組み込まれる機能割当プログラムにおいて、
前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出手段と、
前記半開状態であることが検出されたときに前記露出した一部の操作受付手段の機能割り当てを変更する制御手段と、
を備える携帯端末としてコンピュータを機能させることを特徴とする機能割当プログラム。
【発明の詳細な説明】
【技術分野】
【０００１】
本発明はスライド型の携帯端末におけるダイヤルキー等の機能割り当ての変更に関する。
【背景技術】
【０００２】
現在、携帯電話機等の電子機器は、その利便性から広く普及している。そして、電子機器の軽量化のためや、多機能化に応じて操作部を多様化させるために種々の形状をもつ電子機器が存在している。
【０００３】
そのような形状の一つとして、スライド機構を備えた形状が採用されるようになっている。例えば、第１の筐体と、第２の筐体と、が互いにスライドできるよう結合されている携帯電話機である。また、電子機器においてディスプレイと操作部が一体となったタッチパネルも採用されることが多くなってきている。
【０００４】
このような、スライド機構を備えた携帯電話機の一例が特許文献１に記載されている。特許文献１に記載の技術は、操作性の維持と、携帯情報端末のコンパクト性および使用感とを両立させることを課題としている。そして、そのためにスライドさせた状態で外部に露出する副筐体６の表面部分６ａに開閉パネル７を開閉自在に取り付け、開閉パネル７の表側７ａに基本機能の操作に必要とされるキーボード４を配設する一方、副筐体６の表面部分６ａと開閉パネル７の裏面７ｂに跨ってフルキーボード５を配設することによって、キーの配置に十分なスペースを確保し、フルキーボード５のキーの操作性を維持すると共に携帯電話１のコンパクト化を実現している。
【先行技術文献】
【特許文献】
【０００５】
【特許文献１】特開２００９−１４７５６７号公報
【発明の概要】
【発明が解決しようとする課題】
【０００６】
しかしながら、上述したようなスライド機構を備えた電子機器には操作に関して問題があった。
【０００７】
その問題は具体的には、例えば端末を閉じた状態でカメラを使用する際、被写体に対して端末を構えて持った状態からカメラを操作したい場合、例えばズームや露光補正、直前に撮影したデータを見たい場合、それらの機能が割り当てられたキー類は実装の制約上一度構えた状態からは押しづらい箇所にあるという問題である。そして、押しづらい箇所にあるため一旦端末を持ち直す必要が生じるなどの問題につながっていた。
【０００８】
例えば、端末のサイドキーは実装スペースが特に限られており、部品を小さくせざるをないためこれを操作するには爪を立てるようにして押す必要がある。また、タッチパネル上で機能を実現する場合には指の動線が大きくなってしまう。
【０００９】
そこで、本発明は状況や操作モードに応じた、より適切な機能の割り当てを行うことにより操作性を向上することが可能な、操作部の機能割り当てを変更可能な端末装置、機能割当方法及び機能割当プログラムを提供することを目的とする。
【課題を解決するための手段】
【００１０】
本発明の第１の観点によれば、第１の筐体と、利用者からの操作を受け付ける操作受付手段を複数有する第２の筐体と、が互いにスライドできるよう結合されている携帯端末において、前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出手段と、前記半開状態であることが検出されたときに前記露出した一部の操作受付手段の機能割り当てを変更する制御手段と、を備えることを特徴とする携帯端末が提供される。
【００１１】
本発明の第２の観点によれば、第１の筐体と、利用者からの操作を受け付ける操作受付手段を複数有する第２の筐体と、が互いにスライドできるよう結合されている携帯端末が行う機能割当方法において、前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出ステップと、前記半開状態であることが検出されたときに前記露出した一部の操作受付手段の機能割り当てを変更する制御ステップと、を備えることを特徴とする機能割当方法が提供される。
【００１２】
本発明の第３の観点によれば、第１の筐体と、利用者からの操作を受け付ける操作受付手段を複数有する第２の筐体と、が互いにスライドできるよう結合されている携帯端末に組み込まれる機能割当プログラムにおいて、前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出手段と、前記半開状態であることが検出されたときに前記露出した一部の操作受付手段の機能割り当てを変更する制御手段と、を備える携帯端末としてコンピュータを機能させることを特徴とする機能割当プログラムが提供される。
【発明の効果】
【００１３】
本発明によれば、半開状態においてキー割り当てを変更することにより、状況や操作モードに応じた、より適切な機能の割り当てができることから、端末装置における操作性の向上を図ることが可能となる。
【図面の簡単な説明】
【００１４】
【図１】本発明の実施形態の基本的構成を表すブロック図である。
【図２−１】本発明の実施形態の全開状態時の基本的構成を表す図（１／２）である。
【図２−２】本発明の実施形態の全開状態時の基本的構成を表す図（２／２）である。
【図３】本発明の実施形態の閉状態時のディスプレイ側の基本的構成を表す図である。
【図４】本発明の実施形態の閉状態時のカメラ側の基本的構成を表す図である。
【図５】本発明の実施形態の半開状態時の基本的構成を表す図である。
【図６】本発明の実施形態の基本的動作を表すフローチャート（１／２）である。
【図７】本発明の実施形態の基本的動作を表すフローチャート（２／２）である。
【図８】本発明の実施形態の効果について説明するための図である。
【発明を実施するための形態】
【００１５】
次に、本発明の実施形態の構成について図面を参照して詳細に説明する。
【００１６】
図１に本発明による携帯端末１００の構成を示す。携帯端末１００は、例えば携帯電話機やＰＨＳ（Personal Handy-phone System）として実現されるが、同等の機能を有する機器であれば実現は可能であり、これら携帯電話機やＰＨＳに必ずしも限定されるものではない。
【００１７】
携帯端末１００は、制御部１０１、メモリ１０２、開閉検出部１０３、ディスプレイ１０４、タッチパネル入力部１０４ａ、無線部１０５、アンテナ１０６、カメラ１０７、ワンセグチューナ１０８、アンテナ１０９、キー入力部１１０、オーディオインターフェイス１１４、マイク１１５、レシーバ１１６及びスピーカー１１７を有する。
【００１８】
制御部１０１は、演算処理装置と主記憶装置を含み、携帯端末１００全体の制御を行う。
【００１９】
メモリ１０２には制御部１０１が実行する各種のプログラム（ソフトウェア）が格納されている。プログラムの具体例としては、通信機能やカメラ機能等の各機能を実現するためのアプリケーションプログラムが挙げられる。すなわち、携帯端末１００は制御部１０１というハードウェアが、メモリ１０２に格納されているソフトウェアを読み込み、携帯端末１００が有する各ハードウェアと協働することにより動作を実現するものである。
【００２０】
また、メモリ１０２に、ゲーム等のアプリケーションプログラムも格納されているようにしてもよい。更にメモリ１０２には電話帳や、画像、音楽データなども格納されているようにしてもよい。加えて、これら例示したデータ以外のデータが格納されているようにしてもよい。
【００２１】
開閉検出部１０３は携帯端末１００の筐体が、後述する全開状態、半開状態、閉状態のいずれの状態にあるかを検出し、制御部１０１に通知する。
【００２２】
ディスプレイ１０４はユーザーに情報を提示するための部分である。具体的にはＬＣＤ（Liquid Crystal Display）や、有機エレクトロルミネッセンス（Organic Electro-Luminescence）ディスプレイであり、制御部１０１のプログラム処理に応じ文字や画像表示を行う。なお、ディスプレイ１０４は、入力手段として透明なタッチパネル入力部１０４ａが重なった構造のタッチパネル型ディスプレイであっても良い。
【００２３】
無線部１０５はアンテナ１０６を介して基地局から受信した電波をベースバンド信号に復調し、一方でベースバンド信号を変調しアンテナ１０６を介して基地局へ送信を行う。制御部１０１はベースバンド信号の符号化・復号化といった通信データの信号処理を行う。なお、具体的にどのような通信方式に準拠して通信を行うかということは、本実施形態の要旨ではなく、任意の通信方式を選択することが可能である。
【００２４】
カメラ１０７はレンズなどの光学部品やデジタル変換回路等のデバイスを含み、制御部１０１はカメラ１０７にて取得した画像データをディスプレイ１０４に表示したりメモリ１０２に格納したりする。
【００２５】
ワンセグチューナ１０８はアンテナ１０９を介して地上デジタル放送の１セグメント放送受信し、画像データおよび音声データを出力する。制御部１０１は画像データをディスプレイ１０４に出力し、音声データをオーディオインターフェイス１１４を介してスピーカー１１７から出力する。また、マイク１１５及びレシーバ１１６は音声情報を受け付け、受け付けた音声情報はオーディオインターフェイス１１４を介して携帯端末１００に入力される。
【００２６】
キー入力部１１０はユーザーの操作により数字や文字などが入力され制御部１０１はキー入力に従い処理を行う。
【００２７】
なお、図１に示す各部は携帯端末１００が有する各部のうち、本実施形態に関係する部分を含めた一部のみである。携帯端末１００は、一般的な携帯電話機等として動作するために電源等の図示を省略した部分を有している。
【００２８】
次に、図２−１〜図５に記載されている携帯端末１００の外観の例を参照して説明を続ける。
【００２９】
図２−１及び図２−２において、携帯端末１００は上側筐体１００ａと下側筐体１００ｂが互いにスライドできるように結合したスライド型構造となっており、上側筐体１００ａと下側筐体１００ｂが互いに最もずれた状態すなわち全開状態となっている。なお、上側筐体１００ａは、本発明の「第１の筐体」に相当する。また、下側筐体１００ｂは、本発明の「第２の筐体」に相当する。
【００３０】
図２−１を参照すると上側筐体１００ａはディスプレイ１０４を有し、下側筐体１００ｂはキー入力部１１０を有する。キー入力部１１０をさらに分類すると、主に機能メニューやアプリケーションを選択して実行するファンクションキー群１１１と、文字や数字入力、通話や終話を行うダイヤルキー群１１２と、筐体の側面に配置されたサイドキー群１１３を含む。なお、ファンクションキー群１１１及び通話や終話を行うダイヤルキー群１１２は、本発明における「操作受付手段」に相当する。更にサイドキー群１１３は、本発明における「常時露出操作受付手段」に相当する。なお、常時露出操作受付手段はサイドキーに限定されるものではなくディスプレイ１０４の周囲等に設けられていてもよい。
【００３１】
次に、各キーに具体的に符号を付した図である図２−２を参照して説明を続ける。例えば方向キー１１１ｂを押すことにより画面のカーソルが移動し目的の項目に達した所で決定キー１１１ａを押すことで実行することができる。ダイヤルキー群１１２において、待ちうけ時にはダイヤルキー１１２ａは”＃”、ダイヤルキー１１２ｂは”０”、ダイヤルキー１１２ｃは”＊”にそれぞれ対応している。サイドキー群１１３において、キー１１３ａはカメラ起動時にはシャッターボタンとして機能する。これらキー入力部１１０の各キーの役割は動作中のプログラムに応じて変更が可能であり、例えば決定キー１１１ａは、カメラ起動中はシャッターボタンとしても機能するが、音楽データ再生時は再生開始又は停止ボタンとして機能する、というようにしてもよい。
【００３２】
なお、上述した”＃”、”０”、”＊”といったキーの種別はあくまで例示であり、一般的なキー配列に実装する場合の一例を示すものに過ぎない。本実施形態は、具体的にどのようなキー配列の筐体であってもよいし、キーの形状等も任意のものを用いることができる。
【００３３】
図３は上側筐体１００ａと下側筐体１００ｂが完全に重なった状態すなわち閉状態を示している。図４は閉状態の携帯端末１００を図３とは反対側から見た状態を示している。カメラ１０７は下側筐体１００ｂに配置されている。図５は全開状態と閉状態の間の状態を示しており、ダイヤルキー１１２ａ〜１１２ｃが見えるように上側筐体１００ａと下側筐体１００ｂが重なった状態すなわち半開状態を示している。この状態のとき開閉検出部１０３は半開状態を検出するが、電気的にこのスライド状態を検出しても良いし、全開状態と閉状態のみを検出しそれ以外を半開状態と判定するようにしてしても良い。いずれにしても開閉動作に支障がない程度に図５の状態を保持できる構造を有しているものとする。
【００３４】
なお、本実施形態の説明で用いている、全開状態、半開状態、閉状態といった文言はあくまで説明の便宜上用いているに過ぎない。すなわち、全開状態といっても構造的に可能な範囲で最大限開いている状態のことであってもよいが、最大限開く前の段階（ほぼ開いた段階）を全開状態と判断してもよい。また、半開状態との文言を使用しているからといって、必ずしも略半分開いている状態を指すものではない。更にやや開いている状態であったとしても閉状態と判断するようにしてもよい。
【００３５】
次に、図６及び図７のフローチャートを参照して本発明の実施形態の動作について詳細に説明する。
【００３６】
まずファンクションキー群１１１又はタッチパネル部１０４ａ等が、ユーザーの操作を受け付けたことを契機として、制御部１０１がカメラ１０７を起動させる（ステップＳ１０１においてＹＥＳ）。また、カメラの起動と共に、開閉検出部１０３からの出力情報に基づいて現在の端末の閉状態にあるか否かを確認する（ステップＳ１０２）。
【００３７】
閉状態ならば（ステップＳ１０２においてＹＥＳ）、第１のキー割り当て設定を行う（ステップＳ１０４）。
【００３８】
一方、開状態ならば（ステップＳ１０２においてＮＯ）、全開状態であるか、それとも半開状態で有るか確認する（ステップＳ１０３）。
【００３９】
全開状態ならば（ステップＳ１０３において全開）第２の、半開状態ならば（ステップＳ１０３において半開）、第３のキー割り当ての設定を行う（ステップＳ１０５，ステップＳ１０６）。
【００４０】
ここで、各キー割り当ての相違について具体例を示す。例えば第１のキー割り当て設定では、シャッターボタンはサイドキー１１３ａに、ズームイン機能はサイドキー１１１ｂに、ズームアウト機能はサイドキー１１１ｃに割り当てられるようにする。また、第２のキー割り当て設定ではシャッターボタンは決定キー１１１ａに、ズームイン機能は方向キー１１１ｂの上方向に、ズームアウト機能は方向キー１１１ｂの下方向に割り当てられるようにする。また、第３のキー割り当て設定ではシャッターボタンはサイドキー１１３ａに、ズームイン機能は”＃”キーであるダイヤルキー１１２ａに、ズームアウト機能は”０”キーであるダイヤルキー１１２ｂに割り当てられるようにする。
【００４１】
以後、カメラの動作が終了するまでは（ステップＳ１０７においてＮＯ）、撮影モードとなり、各開閉状態に応じたシャッターボタンを押すことにより撮影が可能になる（ステップＳ１０８）。
【００４２】
次に半開状態の第３のキー割り当てにおいて”＊”キーであるダイヤルキー１１２ｃの押下時の動作例について説明する。本動作例においては、”＊”キーであるダイヤルキー１１２ｃの押下を契機として動作モードが切り替わり、”＃”キーであるダイヤルキー１１２ａ及び”０”キーであるダイヤルキー１１２ｂに割り当てられている機能が変更される。
【００４３】
図７を参照すると撮影モードで動作中（ステップＳ２０１）、ユーザー操作により”＊”キーであるダイヤルキー１１２ｃを押すことにより（ステップＳ２０２においてＹＥＳ）、再生モードに移行する。このとき制御部１０１は直前に撮影された保存日時の最も新しい画像データをメモリ１０２から読み出しディスプレイ１０４に表示する（ステップＳ２０３）。
【００４４】
続けて”０”キーであるダイヤルキー１１２ｂが押された場合（ステップＳ２０４においてＹＥＳ）、現在ディスプレイ１０４に表示中の画像データよりも一つ保存日時が古い画像データを表示する（ステップＳ２０５）。また”＃”キーであるダイヤルキー１１２ａが押された場合（ステップＳ２０４においてＹＥＳ）、現在ディスプレイ１０４に表示中の画像データよりも一つ保存日時の新しい画像データを表示する（ステップＳ２０５）。
【００４５】
以後”＊”キーであるダイヤルキー１１２ｃが再度押されない場合は（ステップＳ２０６おいてＮＯ）、”０”キーであるダイヤルキー１１２ｂ又は”＃”キーであるダイヤルキー１１２ｂが押されるたびに制御部１０１は本動作を繰り返す（ステップＳ２０４、ステップＳ２０５）。
【００４６】
さらに”＊”キーであるダイヤルキー１１２ｃが再度押された場合（ステップＳ２０４においてＹＥＳ）、制御部１０１は再生モードを終了し撮影モードに移行する。これによりユーザーは直近に撮影した画像データを確認しながら撮影を継続することが可能になる。この機能を筐体の全開状態や閉状態で行うには、ファンクションキー群１１１あるいはサイドキー群１１３を操作してメニュー選択から実行する必要がある。
【００４７】
なお、半開状態の第３のキー割り当て内容は本実施形態に限ったものではなく、例えばユーザーが好みにより自由に使用頻度の高い機能を割り当てられるようにしても良い。またカメラ動作時に限ったものではなく他のアプリケーションにも適用可能である。
【００４８】
更に、本実施形態では半開状態を一種類としていたが、半開状態を更に複数に区別するようにしてもよい。例えば、図５に示されるように３つのダイヤルキーが露出した段階を「第１の半開状態」とし、第１の半開状態よりも開いた、６つのダイヤルキーが露出した段階を「第２の半開状態」としてもよい。そして、第１の半開状態と、第２の半開状態とで別々のキー割り当てをするようにしてもよい。
【００４９】
以上説明した本発明の実施形態は、少なくとも以下に示すような多くの効果を奏する。
【００５０】
第１の効果は端末装置における操作性の向上が図れることである。
【００５１】
その理由は、半開状態においてキー割り当てを変更することにより、状況や操作モードに応じた、より適切な機能の割り当てができるからである。
【００５２】
第２の効果はカメラの操作時の操作性を改善することができることである。
【００５３】
その理由は、ユーザーは被写体に対して端末を構えた状態から指が届きやすい位置にあるキーが使えるためである。
【００５４】
第３の効果は片手での操作性が向上することである。
【００５５】
例えばタッチパネルを有する端末の場合において、前記のように端末を構えた状態からタッチ操作する場合は特に親指の腹の部分で操作することがもっとも操作しやすい。そのためタッチパネル右端領域に操作パネルを配置するのが望ましい。この場合本実施形態ならば図８に破線で示した指動線領域２００の領域内に指の動線が収まる。よって第３の効果として上記したように、片手での操作性が向上する。
【００５６】
なお、本発明の実施形態である携帯端末は、ハードウェアにより実現することもできるが、コンピュータをその携帯端末として機能させるためのプログラムをコンピュータがコンピュータ読み取り可能な記録媒体から読み込んで実行することによっても実現することができる。
【００５７】
また、本発明の実施形態による携帯端末の操作方法は、ハードウェアにより実現することもできるが、コンピュータにその方法を実行させるためのプログラムをコンピュータがコンピュータ読み取り可能な記録媒体から読み込んで実行することによっても実現することができる。
【００５８】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００５９】
上記の実施形態の一部又は全部は、以下の付記のようにも記載されうるが、以下には限られない。
【００６０】
（付記１）  第１の筐体と、利用者からの操作を受け付ける操作受付手段を複数有する第２の筐体と、が互いにスライドできるよう結合されている携帯端末において、
前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出手段と、
前記半開状態であることが検出されたときに前記露出した一部の操作受付手段の機能割り当てを変更する制御手段と、
を備えることを特徴とする携帯端末。
【００６１】
（付記２）  付記１に記載の携帯端末において、
カメラを更に備えており、
前記制御手段が、前記カメラを起動している場合であって前記半開状態であることが検出された場合に、前記露出した一部の操作受付手段の機能割り当てを変更することを特徴とする携帯端末。
【００６２】
（付記３）  付記１又は２に記載の携帯端末において、
前記制御手段が、前記露出した一部の操作受付手段の機能割り当てを変更した後に、当該露出した一部の操作受付手段の何れかが押下されたことを検知すると、前記露出した一部の操作受付手段の機能割り当てを更に変更することを特徴とする携帯端末。
【００６３】
（付記４）  付記１又は２に記載の携帯端末において、
前記操作受付手段以外に、常時露出しており利用者からの操作を受け付ける手段である常時露出操作受付手段を更に備えており、
前記半開状態であることが検出されたときに前記露出した一部の操作受付手段に加えて、前記常時露出操作受付手段の機能割り当ても変更することを特徴とする携帯端末。
【００６４】
（付記５）  付記１乃至４の何れか１項に記載の携帯端末において、
前記スライドによる開閉動作に支障がない程度に前記半開状態を保持できる構造を有していることを特徴とする携帯端末。
【００６５】
（付記６）  付記１乃至５の何れか１項に記載の携帯端末において、
前記半開状態は、露出している前記操作受付手段の数に応じて第１の半開状態と、第２の半開状態とに区別され、前記制御手段は前記機能割り当て変更の際に、前記第１の半開状態と、第２の半開状態とで異なる内容の機能割り当てを行うことを特徴とする携帯端末。
【００６６】
（付記７）  第１の筐体と、利用者からの操作を受け付ける操作受付手段を複数有する第２の筐体と、が互いにスライドできるよう結合されている携帯端末が行う機能割当方法において、
前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出ステップと、
前記半開状態であることが検出されたときに前記露出した一部の操作受付手段の機能割り当てを変更する制御ステップと、
を備えることを特徴とする機能割当方法。
【００６７】
（付記８）  付記７に記載の機能割当方法において、
前記携帯端末はカメラを更に備えており、
前記制御ステップでは、前記カメラを起動している場合であって前記半開状態であることが検出された場合に、前記露出した一部の操作受付手段の機能割り当てを変更することを特徴とする機能割当方法。
【００６８】
（付記９）  付記７又は８に記載の機能割当方法において、
前記制御ステップでは、前記露出した一部の操作受付手段の機能割り当てを変更した後に、当該露出した一部の操作受付手段の何れかが押下されたことを検知すると、前記露出した一部の操作受付手段の機能割り当てを更に変更することを特徴とする機能割当方法。
【００６９】
（付記１０）  付記７又は８に記載の機能割当方法において、
前記携帯端末は、前記操作受付手段以外に、常時露出しており利用者からの操作を受け付ける手段である常時露出操作受付手段を更に備えており、
前記半開状態であることが検出されたときに前記露出した一部の操作受付手段に加えて、前記常時露出操作受付手段の機能割り当ても変更することを特徴とする機能割当方法。
【００７０】
（付記１１）  付記７乃至１０の何れか１項に記載の機能割当方法において、
前記スライドによる開閉動作に支障がない程度に前記半開状態を保持できる構造を有していることを特徴とする機能割当方法。
【００７１】
（付記１２）  付記７乃至１１の何れか１項に記載の機能割当方法において、
前記半開状態は、露出している前記操作受付手段の数に応じて第１の半開状態と、第２の半開状態とに区別され、前記制御手段は前記機能割り当て変更の際に、前記第１の半開状態と、第２の半開状態とで異なる内容の機能割り当てを行うことを特徴とする機能割当方法。
【００７２】
（付記１３）  第１の筐体と、利用者からの操作を受け付ける操作受付手段を複数有する第２の筐体と、が互いにスライドできるよう結合されている携帯端末に組み込まれる機能割当プログラムにおいて、
前記第１の筐体と前記第２の筐体が重なることにより前記複数の操作受付手段の全てが前記上側筐体に隠れた状態である閉状態と、前記第１の筐体と前記第２の筐体がずれることにより前記複数の操作受付手段の全てが露出した状態である全開状態と、前記第１の筐体と前記第２の筐体が一部のみ重なることにより前記複数の操作受付手段のうちの一部の操作受付手段が露出した状態である半開状態と、の何れの状態にあるのかを検出する開閉検出手段と、
前記半開状態であることが検出されたときに前記露出した一部の操作受付手段の機能割り当てを変更する制御手段と、
を備える携帯端末としてコンピュータを機能させることを特徴とする機能割当プログラム。
【００７３】
（付記１４）  付記１３に記載の機能割当プログラムにおいて、
前記携帯端末はカメラを更に備えており、
前記制御手段が、前記カメラを起動している場合であって前記半開状態であることが検出された場合に、前記露出した一部の操作受付手段の機能割り当てを変更することを特徴とする機能割当プログラム。
【００７４】
（付記１５）  付記１３又は１４に記載の機能割当プログラムにおいて、
前記制御手段が、前記露出した一部の操作受付手段の機能割り当てを変更した後に、当該露出した一部の操作受付手段の何れかが押下されたことを検知すると、前記露出した一部の操作受付手段の機能割り当てを更に変更することを特徴とする機能割当プログラム。
【００７５】
（付記１６）  付記１３又は１４に記載の機能割当プログラムにおいて、
前記制御手段が、前記操作受付手段以外に、常時露出しており利用者からの操作を受け付ける手段である常時露出操作受付手段を更に備えており、
前記半開状態であることが検出されたときに前記露出した一部の操作受付手段に加えて、前記常時露出操作受付手段の機能割り当ても変更することを特徴とする機能割当プログラム。
【００７６】
（付記１７）  付記１３乃至１６の何れか１項に記載の機能割当プログラムにおいて、
前記スライドによる開閉動作に支障がない程度に前記半開状態を保持できる構造を有していることを特徴とする機能割当プログラム。
【００７７】
（付記１８）  付記１３乃至１７の何れか１項に記載の機能割当プログラムにおいて、
前記半開状態は、露出している前記操作受付手段の数に応じて第１の半開状態と、第２の半開状態とに区別され、前記制御手段は前記機能割り当て変更の際に、前記第１の半開状態と、第２の半開状態とで異なる内容の機能割り当てを行うことを特徴とする機能割当プログラム。
【符号の説明】
【００７８】
１００  携帯端末
１０１  制御部
１０２  メモリ
１０３  開閉検出部
１０４  ディスプレイ
１０４ａ  タッチパネル入力部
１０５  無線部
１０６、１０９  アンテナ
１０７  カメラ
１０８  ワンセグチューナ
１１０  キー入力部
１１１  ファンクションキー群
１１１ａ、１１１ｂ、１１１ｃ  ファンクションキー
１１２  ダイヤルキー群
１１２ａ、１１２ｂ、１１２ｃ  ダイヤルキー
１１３  サイドキー群
１１３ａ、１１３ｂ、１１３ｃ  サイドキー
１１４  オーディオインターフェイス
１１５  マイク
１１６  レシーバ
１１７  スピーカー
２００  指動線領域
【図１】
2011249909.tif 000003
【図２−１】
2011249909.tif 000004
【図２−２】
2011249909.tif 000005
【図３】
2011249909.tif 000006
【図４】
2011249909.tif 000007
【図５】
2011249909.tif 000008
【図６】
2011249909.tif 000009
【図７】
2011249909.tif 000010
【図８】
2011249909.tif 000011